(57)【要約】  移動端末を収容したリレーノードが移動した場合においても、移動端末へのセル間干渉を回避する管理サーバ装置。この装置は、ＲＮから通知されたＲＮの位置情報、速度情報及び移動方向と、保持するマクロセル情報とに基づいて、ＲＮが次に移動するマクロセルのＡＢＳパターン及びその適用期間を決定し、これらの情報をＲＮに通知する。ＲＮは、管理サーバから通知されたこれらの情報に基づいて、干渉ＵＥに対するスケジューリングを行う。
2013114517.tif 000002
【特許請求の範囲】
【請求項１】
移動基地局装置から送信された前記移動基地局装置の位置情報、速度情報及び移動方向を受信する受信手段と、
固定基地局装置のセル配置情報及び前記固定基地局装置のセルにて用いられる送信及び無送信パターンを管理する管理手段と、
受信した前記位置情報、速度情報及び移動方向と、管理された前記セル配置情報とを用いて、前記移動基地局装置の次の移動先セルを判定する判定手段と、
判定された前記移動先セルにて用いられる送信及び無送信パターンを前記移動基地局装置に送信する送信手段と、
を具備する管理サーバ装置。
【請求項２】
前記判定手段は、前記移動基地局装置の位置と、前記移動基地局装置の経路上に位置する前記移動先セルのセル境界との距離に基づいて、前記移動基地局装置が前記移動先セルへ移動するか否かを判定する、
請求項１に記載の管理サーバ装置。
【請求項３】
前記移動先セルにて用いられる送信及び無送信パターンの適用期間として、前記移動先セルのセル境界情報を設定する適用期間設定手段を具備し、
前記送信手段は、設定された前記適用期間を前記移動基地局装置に送信する、
請求項１に記載の管理サーバ装置。
【請求項４】
前記移動先セルにて用いられる送信及び無送信パターンの適用期間として、列車の運行情報を管理する鉄道管理システムから取得される前記移動先セルの第１セル境界への到達時刻及び第２セル境界からの離脱時刻を設定する適用期間設定手段を具備し、
前記送信手段は、設定された前記適用期間を前記移動基地局装置に送信する、
請求項１に記載の管理サーバ装置。
【請求項５】
前記移動先セルにて用いられる送信及び無送信パターンの適用期間として、前記固定基地局装置から報知される報知情報の受信時を適用開始タイミングに設定する適用期間設定手段を具備し、
前記送信手段は、設定された前記適用期間を前記移動基地局装置に送信する、
請求項１に記載の管理サーバ装置。
【請求項６】
前記管理手段は、前記固定基地局装置のセル配置情報として、前記移動基地局装置の経路上に位置するセル境界の位置情報を管理する、
請求項１に記載の管理サーバ装置。
【請求項７】
前記管理手段は、前記固定基地局装置のセル配置情報を、前記移動基地局装置の移動順に従ってテーブルによって管理する、
請求項１に記載の管理サーバ装置。
【請求項８】
前記管理手段は、前記固定基地局装置から変更されたセル配置情報を取得し、管理しているセル配置情報を前記変更されたセル配置情報に変更する、
請求項１に記載の管理サーバ装置。
【請求項９】
自装置の次の移動先セルにて用いられる送信及び無送信パターンを受信する受信手段と、
受信した前記送信及び無送信パターンに基づいて、自装置が収容する移動端末装置のスケジューリングを行うスケジューリング手段と、
を具備する移動基地局装置。
【請求項１０】
管理サーバ装置から指定され、前記移動先セルのセル境界情報を前記移動先セルの送信及び無送信パターンの適用期間に設定する適用管理手段を具備する、
請求項９に記載の移動基地局装置。
【請求項１１】
管理サーバ装置から指定され、前記移動先セルの第１セル境界への到達時刻及び第２セル境界からの離脱時刻を前記移動先セルの送信及び無送信パターンの適用期間に設定する適用管理手段を具備する、
請求項９に記載の移動基地局装置。
【請求項１２】
管理サーバ装置から指定されたセルの識別子と、報知情報に含まれるセル識別子とが一致したタイミングを前記移動先セルの送信及び無送信パターンの適用期間開始タイミングに設定する適用管理手段を具備する、
請求項９に記載の移動基地局装置。
【請求項１３】
移動基地局装置から送信された前記移動基地局装置の位置情報、速度情報及び移動方向を受信する受信手段と、
固定基地局装置のセル配置情報及び前記固定基地局装置のセルにて用いられる送信及び無送信パターンを管理する管理手段と、
受信した前記位置情報、速度情報及び移動方向と、管理された前記セル配置情報とを用いて、前記移動基地局装置の次の移動先セルを判定する判定手段と、
判定された前記移動先セルにて用いられる送信及び無送信パターンを前記移動基地局装置に送信する送信手段と、
を有する管理サーバ装置と、
前記管理サーバ装置から送信された前記送信及び無送信パターンを受信する受信手段と、
受信した前記送信及び無送信パターンに基づいて、自装置が収容する移動端末装置のスケジューリングを行うスケジューリング手段と、
を有する移動基地局装置と、
を具備する無線通信システム。
【発明の詳細な説明】
【技術分野】
【０００１】
本発明は、３ＧＰＰ（3rd Generation Partnership Project）のリレー（Relay）方式で用いる管理サーバ装置、移動基地局装置及び無線通信システムに関する。
【背景技術】
【０００２】
３ＧＰＰリリース１０（Release10）において、有線バックホール回線の使用が困難なエリアでの、セルカバレッジの新設およびカバレッジホールの改善を目的としたリレー方式が規定されている。【０００３】
このリレー方式をサポートするため、Ｅ−ＵＴＲＡＮでは、ＲＮ（Relay Node）とＤｅＮＢ（Donor eNB）を用いる。ＲＮは、ＤｅＮＢに対して移動端末（以下、「ＵＥ：User Equipment」という）のように振舞い、無線コネクションを確立し、バックホールとして用いられる。【０００４】
リリース１０では、ＲＮは移動しないことが前提であり、ＲＮのインターセルハンドオーバ（Inter-cell handover）等の移動時の問題については検討されていない。そこで、リリース１１（Release 11）ＲＡＮ３＃７３ｂｉｓにおいて、ＲＮを移動させて用いるモバイルリレーＳＩ（Mobile Relays SI）の検討が開始された。【０００５】
モバイルリレー（Mobile Relay）の主なユースケースとしては、列車への設置が考えられている。列車でモバイルリレーを用いることにより、次のメリットがある。グループモビリティ（Group mobility）を用いることにより、ハンドオーバに要するシグナリング量を削減することができる。このため、列車移動に伴い、多数のＵＥが一斉にハンドオーバを行うことに起因するハンドオーバの失敗を回避することができる。また、無線リソースを効率的に利用することができる。また、線路に沿った無線設備の数を少なくすることができるため、システムの設置コストを抑えることができる。さらに、ＵＥの送信電力を低減することができるため、ＵＥのバッテリー消費を抑えることができる。【０００６】
ところで、ＤｅＮＢのマクロセルとリレーセルとを、同一キャリア周波数を使用するインバンド（in-bound）サービスで使用する場合、図１に示すように、マクロセル１とリレーセル１の重複エリアにおいてセル間干渉が発生する。図１において、ＵＥ１はセル間干渉の影響を受ける。【０００７】
そのため、セル間干渉の回避方法として、３ＧＰＰではＡＢＳ(Almost Blank Subframe)を用いた方式が規定されている。図１におけるマクロセル１及びリレーセル１は、図２に示すＡＢＳパターンの中から最適なパターンをそれぞれ選択する。すなわち、リレーセル１は、干渉を受けるＵＥ１への送信を、干渉要因となるマクロセル１の送信停止タイミングにスケジューリングすることにより、干渉を除去することができる。例えば、マクロセル１でＡＢＳパターン４、リレーセル１でＡＢＳパターン５を用いる場合、ＵＥ１には０，４，８，１２，１６，２０，２４，２８，３２，３６のサブフレーム（subframe）を割り当てることにより、干渉を除去することができる。なお、図２において、「０」は送信を行うサブフレームを、「１」は送信を停止するサブフレームを示している。【０００８】
このようなセル毎に用いられたＡＢＳパターン及びＡＢＳリソースは、Ｘ２コネクションによって接続されたｅＮＢ同士であれば、Ｘ２プロシージャを用いて、互いに他方のｅＮＢへ通知される。Ｘ２プロシージャとしては、図３に示すように、ロードインディケーション（Load Indication）プロシージャ（図３Ａ参照）、リソースステータスレポーティングイニシエーション（Resource Status Reporting Initiation）及びリソースステータスレポーティング（Resource Status Reporting）プロシージャ（図３Ｂ参照）が挙げられる。【０００９】
ｅＮＢは、これらのＸ２メッセージを交換して得られる情報を用いて、ＡＢＳパターンを動的に変更することが可能である。
【先行技術文献】
【非特許文献】
【００１０】
【非特許文献１】3GPP TS23.401 V10.5.0 “General Packet Radio Service (GPRS) enhancements for Evolved Universal Terrestrial Radio Access Network (E-UTRAN) access (Release 10)”
【非特許文献２】3GPP TS36.300 V10.5.0 “Evolved Universal Terrestrial Radio Access (E-UTRA) and Evolved Universal Terrestrial Radio Access Network (E-UTRAN); Overall description; Stage 2 (Release 10)”
【非特許文献３】3GPP TS36.423 V10.3.0 “Evolved Universal Terrestrial Radio Access Network (E-UTRAN); X2 application protocol (X2AP) (Release 10)”
【発明の概要】
【発明が解決しようとする課題】
【００１１】
３ＧＰＰリリース１１では、列車におけるハンドオーバ性能を改善するために、ＲＮを列車に搭載し、列車内のＵＥをＲＮで収容するモバイルリレー方式の検討が進められている。【００１２】
しかしながら、モバイルリレーでは、リレーセルが常時高速移動することにより、干渉対象のセルが変更され、リレーセルにおける干渉状態は頻繁に変化する。そのため、上述したＡＢＳパターンの通知を行うＸ２ベースによる干渉制御では、モバイルリレーに対応することができない。【００１３】
この様子について図４を用いて具体的に説明する。図４において、ＲＮを搭載する列車Ａが、ＡＢＳパターンがそれぞれ異なるマクロセル１からマクロセル２に移動する。このとき、リレーセルは、Ｘ２ベースでマクロセル２のＡＢＳパターンを取得することができないので、マクロセル２への移動後においても、マクロセル１のＡＢＳパターンに基づいてスケジューリングを行ってしまうと、干渉ＵＥを正しくスケジューリングすることができず、干渉を回避することができないという問題がある。【００１４】
本発明の目的は、移動端末を収容したリレーノードが移動した場合においても、移動端末へのセル間干渉を回避する管理サーバ装置、移動基地局装置及び無線通信システムを提供することである。
【課題を解決するための手段】
【００１５】
本発明の管理サーバ装置は、移動基地局装置から送信された前記移動基地局装置の位置情報、速度情報及び移動方向を受信する受信手段と、固定基地局装置のセル配置情報及び前記固定基地局装置のセルにて用いられる送信及び無送信パターンを管理する管理手段と、受信した前記位置情報、速度情報及び移動方向と、管理された前記セル配置情報とを用いて、前記移動基地局装置の次の移動先セルを判定する判定手段と、判定された前記移動先セルにて用いられる送信及び無送信パターンを前記移動基地局装置に送信する送信手段と、を具備する構成を採る。【００１６】
本発明の移動基地局装置は、自装置の次の移動先セルにて用いられる送信及び無送信パターンを受信する受信手段と、受信した前記送信及び無送信パターンに基づいて、自装置が収容する移動端末装置のスケジューリングを行うスケジューリング手段と、を具備する構成を採る。【００１７】
本発明の無線通信システムは、移動基地局装置から送信された前記移動基地局装置の位置情報、速度情報及び移動方向を受信する受信手段と、固定基地局装置のセル配置情報及び前記固定基地局装置のセルにて用いられる送信及び無送信パターンを管理する管理手段と、受信した前記位置情報、速度情報及び移動方向と、管理された前記セル配置情報とを用いて、前記移動基地局装置の次の移動先セルを判定する判定手段と、判定された前記移動先セルにて用いられる送信及び無送信パターンを前記移動基地局装置に送信する送信手段と、を有する管理サーバ装置と、前記管理サーバ装置から送信された前記送信及び無送信パターンを受信する受信手段と、受信した前記送信及び無送信パターンに基づいて、自装置が収容する移動端末装置のスケジューリングを行うスケジューリング手段と、を有する移動基地局装置と、を具備する構成を採る。
【発明の効果】
【００１８】
本発明によれば、移動端末を収容したリレーノードが移動した場合においても、移動端末へのセル間干渉を回避することができる。
【図面の簡単な説明】
【００１９】
【図１】マクロセルとリレーセルとによってセル間干渉が生じる様子を示す図
【図２】ＡＢＳパターンを示す図
【図３】Ｘ２プロシージャを示す図
【図４】リレーセルにおける干渉状態が頻繁に変化する様子を示す図
【図５】本発明の一実施の形態に係るＲＮの構成を示すブロック図
【図６】本発明の一実施の形態に係る管理サーバの構成を示すブロック図
【図７】図６に示した管理サーバのマクロセル移動判定部の判定処理手順を示すフロー図
【図８】ＲＮ及び管理サーバを含む通信システムにおける信号送信手順を示す模式図
【発明を実施するための形態】
【００２０】
以下、本発明の実施の形態について、図面を参照して詳細に説明する。
【００２１】
（一実施の形態）
本実施の形態では、列車に搭載された移動基地局装置であるＲＮと、固定基地局装置であるｅＮＢが形成するマクロセルの情報を保持する管理サーバとが通信する場合について説明する。
【００２２】
図５は、本発明の一実施の形態に係るＲＮ１００の構成を示すブロック図である。以下、図５を用いてＲＮ１００の構成について説明する。
【００２３】
位置情報収集部１０１は、ＲＮ１００の位置情報、速度情報、移動方向の情報をＧＰＳ（Global Positioning System）又は鉄道管理システムから取得し、取得したこれらの情報をＲＮ通知情報メッセージ生成部１０３に出力する。また、位置情報収集部１０１は、ＲＮ１００の位置情報をＡＢＳパターン適用管理部１０７に出力する。
【００２４】
Ｕｎインタフェース管理部１０２は、ＲＮ１００が位置するマクロセルの識別子を報知情報から取得し、取得した識別子をＲＮ通知情報メッセージ生成部１０３及びＡＢＳパターン適用管理部１０７に出力する。
【００２５】
ＲＮ通知情報メッセージ生成部１０３は、位置情報収集部１０１及びＵｎインタフェース管理部１０２から出力された情報を含むＲＮ通知情報メッセージを生成し、生成したメッセージをメッセージ送信部１０４に出力する。
【００２６】
メッセージ送信部１０４は、ＲＮ通知情報メッセージ生成部１０３から出力されたメッセージを管理サーバに送信する。
【００２７】
メッセージ受信部１０５は、管理サーバから受信したメッセージを管理サーバ通知情報メッセージ解析部１０６に転送する。
【００２８】
管理サーバ通知情報メッセージ解析部１０６は、メッセージ受信部１０５から転送されたメッセージを解析し、ＲＮ１００が次に移動するマクロセルの識別子、そのマクロセルのＡＢＳパターン、及び、そのＡＢＳパターンの適用期間の情報を取得し、取得したこれらの情報をＡＢＳパターン適用管理部１０７に出力する。
【００２９】
ＡＢＳパターン適用管理部１０７は、管理サーバ通知情報メッセージ解析部１０６から通知された情報に基づいて、スケジューリングパターンを変更する。管理サーバ通知情報メッセージ解析部１０６から通知された情報は、ＲＮ１００が次に移動するマクロセルの識別子、そのマクロセルのＡＢＳパターン、及び、そのＡＢＳパターンの適用期間を含む情報である。そして、ＡＢＳパターン適用管理部１０７は、変更したスケジューリングパターンをＵｕインタフェーススケジューリング部１０８に出力する。
【００３０】
ここで、ＡＢＳパターンの適用期間を列車の位置により決定する場合、ＡＢＳパターン適用管理部１０７は、管理サーバから指定されたセル境界位置と位置情報収集部１０１から出力されたＲＮの位置情報とが一致したタイミングでＵｕインタフェーススケジューリング部１０８にスケジューリングパターンを通知する。
【００３１】
また、ＡＢＳパターンの適用期間を列車のセル境界通過時刻に基づいて決定する場合、ＡＢＳパターン適用管理部１０７は、管理サーバから指定された適用開始タイミングの時刻と適用終了タイミングの時刻でＵｕインタフェーススケジューリング部１０８にスケジューリングパターンを通知する。
【００３２】
さらに、ＡＢＳパターンの適用期間を報知情報に基づいて決定する場合、動作は以下の通りである。すなわち、ＡＢＳパターン適用管理部１０７は、報知情報に含まれたマクロセル識別子が管理サーバから指定されたマクロセル識別子と一致したとき、管理サーバからマクロセル識別子と共に指定されたＡＢＳパターンに基づいてスケジューリングパターンを求める。上記報知情報は、Ｕｎインタフェース管理部１０２から通知される情報である。求めたスケジューリングパターンはＵｕインタフェーススケジューリング部１０８に通知される。
【００３３】
Ｕｕインタフェーススケジューリング部１０８は、ＡＢＳパターン適用管理部１０７から通知されたスケジューリングパターンに基づいて、干渉ＵＥのスケジューリングを行う。
【００３４】
図６は、本発明の一実施の形態に係る管理サーバ２００の構成を示すブロック図である。以下、図６を用いて管理サーバ２００の構成について説明する。
【００３５】
メッセージ受信部２０１は、ＲＮ１００から送信されたメッセージを受信し、受信したメッセージをＲＮ通知情報メッセージ解析部２０２に転送する。
【００３６】
ＲＮ通知情報メッセージ解析部２０２は、メッセージ受信部２０１から転送されたＲＮ通知情報メッセージを解析し、ＲＮ１００が位置するエリアのマクロセルの識別子、ＲＮの位置情報、速度情報、移動方向を取得し、取得したこれらの情報をマクロセル移動判定部２０５に出力する。
【００３７】
マクロセル情報取得部２０３は、ＳＯＮ（Self Organizing Network）及びエネルギーセービング（Energy Saving）等によるマクロセルの変更情報を収集し、収集したマクロセルの変更情報を置局情報管理部２０４に出力する。
【００３８】
置局情報管理部２０４は、線路上に存在するマクロセルについて、セルの識別子、線路の上り方向のセル境界、線路の下り方向のセル境界、マクロセルで使用しているＡＢＳパターンの情報をテーブルによって管理する。このテーブルは、セル位置が線路の上りから下りの順になるようソートして管理される。また、置局情報管理部２０４は、マクロセル移動判定部２０５からの要求に応じて、テーブル情報をマクロセル移動判定部２０５に通知する。また、置局情報管理部２０４は、マクロセル情報取得部２０３からマクロセルの変更情報を取得すると、テーブル内の該当する情報を変更する。
【００３９】
マクロセル移動判定部２０５は、ＲＮ通知情報メッセージ解析部２０２から出力された情報と、置局情報管理部２０４から取得した、マクロセル識別子、そのセルにおける線路の上り方向のセル境界及び下り方向のセル境界の情報とに基づいて、ＲＮ１００の経路上に位置する次の移動先マクロセルのセル境界までの距離を求める。マクロセル移動判定部２０５は、求めた距離と所定の閾値との比較により、ＲＮ１００が異なるマクロセルへ移動するか否かを判定し、異なるマクロセルに移動すると判定した場合、その旨を適用期間設定部２０６に通知する。なお、マクロセル移動判定部２０５の詳細については後述する。
【００４０】
適用期間設定部２０６は、マクロセル移動判定部２０５からの通知に基づいて、ＲＮ１００で適用する移動先マクロセルのＡＢＳパターンの適用期間を決定し、決定した適用期間を管理サーバメッセージ生成部２０７に出力する。
【００４１】
ここで、ＡＢＳパターンの適用タイミングを列車の位置に基づいて設定する場合、適用期間設定部２０６は、移動先マクロセルの上り方向のセル境界及び下り方向のセル境界位置を管理サーバメッセージ生成部２０７に出力する。
【００４２】
列車の移動経路によってはトンネルが多く、ＧＰＳ受信が途切れることにより位置情報の取得が困難な場合があり、この場合、ＡＢＳパターンの適用タイミングとして、時刻で設定する方法を用いる。列車の運行情報等を管理する鉄道管理システムは、列車毎に特定の地点、ここでは、所定のマクロセルのセル境界の通過時刻を管理している。適用期間設定部２０６は、図示せぬ信号線を介して鉄道管理システムからＲＮ１００の移動先マクロセルのセル境界への到達時刻及びこのセル境界からの離脱時刻を求め、それぞれを適用開始タイミング、適用終了タイミングとする。そして、適用期間設定部２０６は、これら適用開始タイミングおよび適用終了タイミングを、管理サーバメッセージ生成部２０７に出力する。
【００４３】
また、ＳＯＮ機能により移動先セルの境界が頻繁に変更するような場合、適用開始タイミングとして、マクロセルの報知情報受信時とする方法を用いる。適用期間設定部２０６は、移動先マクロセルの識別子及びそのマクロセルのＡＢＳパターンを管理サーバメッセージ生成部２０７に出力する。
【００４４】
管理サーバメッセージ生成部２０７は、適用期間設定部２０６から出力された情報を含む管理サーバメッセージを生成し、生成したメッセージをメッセージ送信部２０８に出力する。
【００４５】
メッセージ送信部２０８は、管理サーバメッセージ生成部２０７から出力された管理サーバメッセージをＲＮ１００に送信する。
【００４６】
次に、図６に示した管理サーバ２００のマクロセル移動判定部２０５の判定処理について、図７を用いて説明する。図７において、ステップ（以下、「ＳＴ」と省略する）３０１では、テーブル番号をｉで表し、ｉ＝１に設定する。
【００４７】
ＳＴ３０２では、ｉに対応するマクロセル識別子がＲＮ通知情報に含まれるマクロセル識別子と一致するか否かを判定し、一致する（ＹＥＳ）場合にはＳＴ３０６に移行し、一致しない（ＮＯ）場合にはＳＴ３０３に移行する。
【００４８】
ＳＴ３０３では、ｉをインクリメントし、ＳＴ３０４では、ｉがテーブル番号の最大値ｍより大きいか否かを判定し、ｉがｍより大きい場合にはＳＴ３０５に移行し、ｉがｍ以下である場合にはＳＴ３０２に戻る。
【００４９】
ＳＴ３０５では、ＲＮ１００は当面異なるマクロセルに移動しないと判定し、判定処理を終了する。
【００５０】
ＳＴ３０６では、ＲＮ１００の移動方向が上りであるか否かが判定され、上り（ＹＥＳ）である場合にはＳＴ３０７に移行し、下り（ＮＯ）である場合にはＳＴ３１１に移行する。
【００５１】
ＳＴ３０７では、（ｉ−１）が１以上であるか否かを判定する。ここでは、ＲＮ１００の次の移動先マクロセルの有無を判定している。（ｉ−１）が１以上（ＹＥＳ）である場合にはＳＴ３０８に移行し、（ｉ−１）が１未満（ＮＯ）である場合にはＳＴ３０９に移行する。
【００５２】
ＳＴ３０８では、ＲＮ１００の位置と、ＲＮ１００の経路上に位置する次の移動先マクロセルのセル境界との距離が閾値を超えるか否かを判定し、この距離が閾値を超える（ＹＥＳ）場合にはＳＴ３０９に移行し、この距離が閾値以下（ＮＯ）の場合にはＳＴ３１０に移行する。
【００５３】
ＳＴ３０９では、ＲＮ１００は当面異なるマクロセルに移動しないと判定し、判定処理を終了し、ＳＴ３１０では、ＲＮ１００が次のマクロセルに移動すると判定し、判定処理を終了する。
【００５４】
ＳＴ３１１では、（ｉ＋１）がテーブル番号の最大値ｍ以下であるか否かを判定する。ここでは、ＲＮ１００の次の移動先マクロセルの有無を判定している。（ｉ＋１）がｍ以下（ＹＥＳ）である場合にはＳＴ３１２に移行し、（ｉ＋１）がｍより大きい（ＮＯ）場合にはＳＴ３１３に移行する。
【００５５】
ＳＴ３１２では、ＲＮ１００の位置と、ＲＮ１００の経路上に位置する次の移動先マクロセルのセル境界との距離が閾値を超えるか否かを判定し、この距離が閾値を超える（ＹＥＳ）場合にはＳＴ３１３に移行し、この距離が閾値以下（ＮＯ）の場合にはＳＴ３１４に移行する。
【００５６】
ＳＴ３１３では、ＲＮ１００は当面異なるマクロセルに移動しないと判定し、判定処理を終了し、ＳＴ３１４では、ＲＮ１００が次のマクロセルに移動すると判定し、判定処理を終了する。
【００５７】
次に、上述したＲＮ１００及び管理サーバ２００を含む通信システムにおける信号送信手順について図８を用いて説明する。図８において、管理サーバ２００は、ＤｅＮＢ及びｅＮＢから各セルで用いられているＡＢＳパターンを取得しておく。また、ここでは、ＲＮ１００を搭載した列車がマクロセル１からマクロセル２へ移動することを想定する。
【００５８】
（１）では、ＲＮ１００がＲＮ１００の位置情報、ＲＮ１００の速度情報、ＲＮ１００の移動方向、マクロセル１の識別子を収集し、これらの情報を含むＲＮ通知情報を管理サーバ２００に送信する。
【００５９】
（２）では、管理サーバ２００がＲＮ１００から送信された情報、保持するマクロセル情報及びｅＮＢから取得した情報を用いて、ＲＮ１００がマクロセル間を移動するか否かを判定する。ＲＮ１００がマクロセル間を移動する場合、管理サーバ２００は、移動先マクロセルのＡＢＳパターン及び、ＡＢＳパターンの適用期間の決定を行う。
【００６０】
（３）では、管理サーバ２００は、移動先マクロセルのＡＢＳパターン及びＡＢＳパターンの適用期間をＲＮ１００に送信し、（４）では、ＲＮ１００は、管理サーバ２００から送信された移動先マクロセルのＡＢＳパターン及びＡＢＳパターンの適用期間に基づいて、干渉ＵＥに対するスケジューリングパターンを変更する。
【００６１】
このように、本実施の形態によれば、管理サーバは、ＲＮから通知されたＲＮの位置情報、速度情報及び移動方向と、保持するマクロセル情報とに基づいて、ＲＮが次に移動するマクロセルのＡＢＳパターン及びその適用期間を決定し、これらの情報をＲＮに通知し、ＲＮは、これらの情報に基づいて、干渉ＵＥに対するスケジューリングを行う。これにより、移動するＲＮにおいても、ＲＮが収容するＵＥへのセル間干渉を回避することができる。
【００６２】
２０１２年１月３０日出願の特願２０１２−０１６４１７の日本出願に含まれる明細書、図面および要約書の開示内容は、すべて本願に援用される。
【産業上の利用可能性】
【００６３】
本発明にかかる管理サーバ装置、移動基地局装置及び無線通信システムは、移動するＲＮにおいても、ＲＮが収容するＵＥへのセル間干渉を回避するのに好適である。
【符号の説明】
【００６４】
１００  ＲＮ
１０１  位置情報収集部
１０２  Ｕｎインタフェース管理部
１０３  ＲＮ通知情報メッセージ生成部
１０４、２０８  メッセージ送信部
１０５、２０１  メッセージ受信部
１０６  管理サーバ通知情報メッセージ解析部
１０７  ＡＢＳパターン適用管理部
１０８  Ｕｕインタフェーススケジューリング部
２００  管理サーバ
２０２  ＲＮ通知情報メッセージ解析部
２０３  マクロセル情報取得部
２０４  置局情報管理部
２０５  マクロセル移動判定部
２０６  適用期間設定部
２０７  管理サーバメッセージ生成部
【図１】
2013114517.tif 000003
【図３】
2013114517.tif 000004
【図４】
2013114517.tif 000005
【図５】
2013114517.tif 000006
【図６】
2013114517.tif 000007
【図７】
2013114517.tif 000008
【図８】
2013114517.tif 000009
【図２】
2013114517.tif 000010
【国際調査報告】
2013114517.tif 000011
2013114517.tif 000012
2013114517.tif 000013
2013114517.tif 000014